(57)【要約】【課題】原稿台カバーを閉状態にできない場合などにおいても、開始操作部の操作無しで、ユーザーが意図するタイミングで画像読取処理を実行できること。【解決手段】画像処理装置において、原稿台カバーは閉位置と開位置との間で回動可能に支持され、回動センサーは、原稿台カバーの中間回動範囲における位置の変化を検出可能であり、画像読取制御部は、回動センサーの検出結果が予め設定された開始条件を満たす場合に、画像読取部に画像読取処理を実行させる（Ｓ１０３，Ｓ１０４，Ｓ１０６）。【選択図】図３
2016082368.tif 000002
【特許請求の範囲】
【請求項１】
原稿台上の原稿を走査することにより前記原稿の画像を読み取って画像データを出力する画像読取部と、
前記原稿台上を覆う閉位置と前記原稿台上を開放する開位置との間で回動可能に支持された原稿台カバーと、
前記閉位置と前記開位置との間の中間回動範囲における前記原稿台カバーの位置の変化を検出可能な回動センサーと、
前記回動センサーの検出結果が予め設定された開始条件を満たす場合に、前記画像読取部に画像読取処理を実行させる画像読取制御部と、を備える画像処理装置。
【請求項２】
前記開始条件が、前記原稿台カバーが前記中間回動範囲における予め設定された起点範囲内に維持された状態から前記起点範囲外へ変位したことを含む、請求項１に記載の画像処理装置。
【請求項３】
前記回動センサーがロータリーエンコーダーである、請求項１または請求項２に記載の画像処理装置。
【請求項４】
前記開始条件が、前記原稿台カバーの回動の速度および加速度のうちの一方または両方の条件を含む、請求項２に記載の画像処理装置。
【請求項５】
第１操作部に対する操作に従って前記開始条件を特定する情報を第１記憶部に記憶させる開始条件設定部をさらに備え、
前記開始条件は、前記開始条件設定部が前記第１記憶部に記憶させた情報によって特定される、請求項１から請求項４のいずれか１項に記載の画像処理装置。
【請求項６】
前記開始条件設定部は、前記第１操作部を成す前記原稿台カバーに対する操作内容を示す前記回動センサーの検出結果に対応した前記開始条件を設定し、設定結果を表す情報を前記第１記憶部に記憶させるジェスチャー式設定部を含む、請求項５に記載の画像処理装置。
【請求項７】
前記開始条件設定部は、前記第１操作部に対する操作に従って前記原稿台カバーの操作パターンの複数の選択候補の中から前記操作パターンを選択することによって前記開始条件を設定し、設定結果を表す情報を前記第１記憶部に記憶させるパターン選択式設定部を含む、請求項５または請求項６に記載の画像処理装置。
【請求項８】
情報入力部を通じて入力される認証用入力情報と予め第２記憶部に記憶された認証情報とを照合して認証成否を判定する認証処理を実行し、前記認証処理が成功した場合に前記画像読取部による前記画像読取処理を許容する認証制御部をさらに備え、
前記開始条件設定部は、成功した前記認証処理に対応する前記認証情報に対応づけて前記開始条件の情報を前記第１記憶部に記憶させ、
前記開始条件は、成功した前記認証処理に対応する前記認証情報に対応づけられた前記第１記憶部の情報により特定される、請求項５から請求項７のいずれか１項に記載の画像処理装置。
【請求項９】
前記原稿台カバーにおける前記原稿台に対向する内側面に取り付けられた圧力センサーと、
前記原稿台カバーの前記内側面と間に前記圧力センサーを挟み込む状態で前記原稿台カバーに取り付けられた板状部材と、をさらに備え、
前記画像読取制御部は、前記回動センサーの検出結果が前記開始条件を満たした後、前記圧力センサーの検出結果が予め定められた圧力条件を満たす場合に、前記画像読取部に前記画像読取処理を実行させる、請求項１から請求項８のいずれか１項に記載の画像処理装置。
【請求項１０】
前記画像読取部が出力する前記画像データに応じた画像を記録シートに形成する画像形成処理を実行する画像形成部をさらに備える、請求項１から請求項９のいずれか１項に記載の画像処理装置。
【請求項１１】
前記回動センサーの検出結果が画像形成モードを指定する予め設定されたモード指定条件を満たす場合に、前記画像形成部が実行する前記画像形成処理の動作モードとして、前記回動センサーの検出結果が満たした前記モード指定条件に対応する前記画像形成モードを設定する画像形成モード設定部をさらに備える、請求項１０に記載の画像処理装置。
【請求項１２】
前記画像形成モードは、カラー画像形成を行うカラーモードと、モノクロ画像形成を行うモノクロモードと、を含む、請求項１１に記載の画像処理装置。
【請求項１３】
前記画像形成モードは、それぞれ前記記録シートを前記画像形成部へ供給可能な複数のシート供給部から前記記録シートの供給元を選択し、選択された前記シート供給部が供給する前記記録シートに画像を形成するシート供給部選択モードを含む、請求項１１または請求項１２に記載の画像処理装置。
【請求項１４】
第２操作部に対する操作に従って前記モード指定条件を特定する情報を第３記憶部に記憶させるモード指定条件設定部をさらに備え、
前記モード指定条件は、前記モード指定条件設定部が前記第３記憶部に記憶させた情報により特定される、請求項１１から請求項１３のいずれか１項に記載の画像処理装置。
【請求項１５】
情報入力部を通じて入力される認証用入力情報と予め第２記憶部に記憶された認証情報とを照合して認証成否を判定する認証処理を実行し、前記認証処理が成功した場合に前記画像読取部による前記画像読取処理を許容する認証制御部をさらに備え、
前記モード指定条件設定部は、成功した前記認証処理に対応する前記認証情報に対応づけて前記モード指定条件の情報を前記第３記憶部に記憶させ、
前記モード指定条件は、成功した前記認証処理に対応する前記認証情報に対応づけられた前記第３記憶部の情報により特定される、請求項１４に記載の画像処理装置。
【発明の詳細な説明】
【技術分野】
【０００１】
本発明は、原稿台上の原稿を走査する画像読取部および原稿台カバーを備える画像処理装置に関する。
【背景技術】
【０００２】
一般に、画像読取装置は、画像読取部、原稿台カバーおよび操作部を備える。前記画像読取部は、原稿台上の原稿を走査することにより前記原稿の画像を読み取り画像データを出力する画像読取処理を実行する。前記原稿台カバーは、前記原稿台上を覆う閉位置と前記原稿台上を開放する開位置との間で回動可能に支持されている。前記操作部は、画像読取処理の開始を装置に指示するための開始操作部を含む。
【０００３】
また、前記開始操作部を操作することなく前記画像読取装置に前記画像読取処理を実行させたい場合がある。例えば、前記原稿が前記原稿台からはみ出して前記開始操作部上に重なるほど大きい場合、前記開始操作部の操作無しで前記画像読取処理が実行されれば便利である。
【０００４】
例えば、センサーが前記原稿台カバーの閉状態を検知している場合に、ユーザーによる画像読取処理の開始指示がなされていなくても前記画像読取処理を実行する画像読取装置が知られている（例えば、特許文献１参照）。
【先行技術文献】
【特許文献】
【０００５】
【特許文献１】特開２０１１−１５１５７０号公報
【発明の概要】
【発明が解決しようとする課題】
【０００６】
ところで、本または冊子などの厚みの大きな前記原稿が前記原稿台に載置される場合のように、前記原稿台カバーを完全に閉状態にすることができない場合がある。この場合、前記画像読取装置は、前記原稿台カバーが閉状態になることを開始トリガーとして前記画像読取処理を実行することができない。
【０００７】
一方、前記原稿が本または冊子などの見開き原稿である場合、前記原稿がユーザーの一方の手で前記原稿台に押さえ付けられ、前記原稿台カバーがユーザーの他方の手で前記閉位置へ向けて押さえられることが多い。このような場合に、前記開始操作部の操作無しで、ユーザーが意図するタイミングで前記画像読取処理が実行されれば便利である。
【０００８】
本発明の目的は、原稿台カバーを閉状態にできない場合などにおいても、開始操作部の操作無しで、ユーザーが意図するタイミングで画像読取処理を実行できる画像処理装置を提供することにある。
【課題を解決するための手段】
【０００９】
本発明の一の局面に係る画像処理装置は、画像読取部と、原稿台カバーと、回動センサーと、画像読取制御部とを備える。前記画像読取部は、原稿台上の原稿を走査することにより前記原稿の画像を読み取って画像データを出力する。前記原稿台カバーは、前記原稿台上を覆う閉位置と前記原稿台上を開放する開位置との間で回動可能に支持されている。前記回動センサーは、前記閉位置と前記開位置との間の中間回動範囲における前記原稿台カバーの位置の変化を検出可能なセンサーである。前記画像読取制御部は、前記回動センサーの検出結果が予め設定された開始条件を満たす場合に、前記画像読取部に画像読取処理を実行させる制御部である。
【発明の効果】
【００１０】
本発明によれば、原稿台カバーを閉状態にできない場合などにおいても、開始操作部の操作無しで、ユーザーが意図するタイミングで画像読取処理を実行できる画像処理装置を提供することが可能になる。
【図面の簡単な説明】
【００１１】
【図１】図１は、本発明の第１実施形態に係る画像処理装置の構成図である。
【図２】図２は、本発明の第１実施形態に係る画像処理装置における制御関連機器のブロック図である。
【図３】図３は、本発明の第１実施形態に係る画像処理装置における原稿画像処理開始制御の手順の一例を示すフローチャートである。
【図４】図４は、本発明の第１実施形態に係る画像処理装置における開始条件判定処理の手順の一例を示すフローチャートである。
【図５】図５は、本発明の第１実施形態に係る画像処理装置における原稿画像処理の開始のための原稿台カバーの操作手順の一例を示す図である。
【図６】図６は、本発明の第１実施形態に係る画像処理装置における原稿画像処理の手順の一例を示すフローチャートである。
【図７】図７は、本発明の第２実施形態に係る画像処理装置における制御関連機器のブロック図である。
【図８】図８は、本発明の本発明の第２実施形態に係る画像処理装置における原稿台および原稿台カバーの部分の概略図であり、図８（Ａ）は原稿台カバーが開いた状態を示し、図８（Ｂ）は原稿台カバーが閉じた状態を示す。
【図９】図９は、本発明の第２実施形態に係る画像処理装置における開始条件判定処理の手順の一例を示すフローチャートである。
【図１０】図１０は、本発明の第３実施形態に係る画像処理装置における制御関連機器のブロック図である。
【図１１】図１１は、本発明の第３実施形態に係る画像処理装置における原稿画像処理開始制御の手順の一例を示すフローチャートである。
【図１２】図１２は、本発明の第３実施形態に係る画像処理装置におけるモノクロモードでの画像形成処理を指定するための原稿台カバーの操作手順の一例を示す図である。
【図１３】図１３は、本発明の第３実施形態に係る画像処理装置におけるカラーモードでの原稿形成処理を指定するための原稿台カバーの操作手順の一例を示す図である。
【図１４】図１４は、本発明の第３実施形態に係る画像処理装置におけるシート供給部選択モードでの画像形成処理を指定するための原稿台カバーの操作手順の一例を示す図である。
【図１５】図１５は、本発明の第４実施形態に係る画像処理装置における制御関連機器のブロック図である。
【図１６】図１６は、本発明の第４実施形態に係る画像処理装置におけるジェスチャー式開始条件設定処理の手順の一例を示すフローチャートである。
【図１７】図１７は、本発明の第４実施形態に係る画像処理装置におけるジェスチャー式モード指定条件設定処理の手順の一例を示すフローチャートである。
【図１８】図１８は、本発明の第４実施形態に係る開始条件およびパターン選択式条件設定処理の手順の一例を示すフローチャートである。
【図１９】図１９は、本発明の第５実施形態に係る画像処理装置における制御関連機器のブロック図である。
【図２０】図２０は、本発明の第５実施形態に係る画像処理装置におけるログイン処理の手順の一例を示すフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
まず、図１，２を参照しつつ、第１実施形態に係る画像処理装置１０の構成について説明する。画像処理装置１０は、少なくとも画像読取装置１を備える。本実施形態における画像処理装置１０は、さらに画像形成装置２も備える。また、画像処理装置１０は、画像読取装置１および画像形成装置２に共通の制御部８および操作表示部８０も備える。
【００１４】
例えば、画像処理装置１０は、複写機、複写機の機能を有するプリンターもしくはファクシミリ、または画像読取機能を含む複数の画像処理機能を備える複合機などである。
【００１５】
図１が示すようには、画像読取装置１は、透明の原稿台１３、画像読取部１１および原稿台カバー１２を備える。原稿台カバー１２には、ＡＤＦ（Auto Document Feeder）１２０が組み込まれている。
【００１６】
原稿台１３は、画像の読み取り対象物である原稿９０が載置される部分である。一般に、原稿台１３はプラテンガラスと称される。原稿台カバー１２は、画像処理装置１０の筐体１００に設けられたヒンジ部１４によって支持されている。ヒンジ部１４は、原稿台カバー１２を原稿台１３上を覆う閉位置と原稿台１３上を解放する開位置との間で回動可能に支持する。
【００１７】
画像読取部１１は、発光部１１２、走査機構１１１、ミラーおよびレンズなどの光学系１１３及びイメージセンサー１１４などを備える。以下の説明において、水平面内における一の方向およびそれに直交する方向のことを、それぞれ主走査方向Ｒ１および副走査方向Ｒ２と称する。
【００１８】
発光部１１２は、透明の原稿台１３に載置された原稿９０に向けて光を照射する光源である。発光部１１２は、主走査方向Ｒ１に沿う帯状の光を、原稿台１３を通じて原稿９０に照射する。例えば、発光部１１２が、主走査方向Ｒ１に沿って配列された複数の発光ダイオードを含むＬＥＤアレイであることが考えられる。また、発光部１１２が、主走査方向Ｒ１に沿う直管状の蛍光灯であることも考えられる。
【００１９】
光学系１１３は、原稿台１３上における主走査方向Ｒ１に沿う線状領域からの放出光をイメージセンサー１１４の受光部へ導くためのミラーおよびレンズなどを含む。原稿９０が原稿台１３に載置されている場合、原稿台１３上の前記線状領域からの放出光は、原稿領域からの放出光と原稿外領域からの放射光とを含む。
【００２０】
イメージセンサー１１４は、原稿台１３上における主走査方向Ｒ１に沿う前記線状領域からの放出光の光量を画素ごとに検出し、検出した各画素の光量データを前記線状領域の画像データ列として出力するセンサーである。例えば、イメージセンサー１１４がＣＣＤ（Charge Coupled Device）１１４であることが考えられる。
【００２１】
イメージセンサー１１４は、前記線状領域の各画素についての検出光量に相当する画像データ列を出力する。前記画像データ列は、前記線状領域における主走査方向Ｒ１の区画領域である複数の画素のデータを含む。
【００２２】
走査機構１１１は、発光部１１２および光学系１１３の一部を支持して副走査方向Ｒ２に沿って移動させる機構である。これにより、発光部１１２の光の照射対象である前記線状領域の副走査方向Ｒ２における位置が変化する。走査機構１１１は、ステッピングモーターなどの不図示の駆動部も備える。
【００２３】
走査機構１１１は、前記線状領域からの光をイメージセンサー１１４へ導く光学系１１３の一部を副走査方向Ｒ２に沿って移動させる。これにより、画像読取部１１は、原稿台１３における主走査方向Ｒ１に沿う前記線状領域からの放出光の光量を画素ごとに検出しつつ副走査方向Ｒ２に沿って原稿台１３上を走査する。原稿９０が原稿台１３上に載置されている状態においては、画像読取部１１の走査対象の一部または全部が原稿９０である。
【００２４】
なお、発光部１１２、イメージセンサー１１４およびレンズが一体化された密着イメージセンサー（ＣＩＳ）が、画像読取部１１に採用されることも考えられる。この場合、密着イメージセンサーは、走査機構１１１によって副走査方向Ｒ２に沿って移動可能に支持される。
【００２５】
ＡＤＦ１２０は、回転する複数の搬送ローラー１２２により、原稿トレイ１２１にセットされた原稿９０を、画像読取位置を経由して原稿排出トレイ１２３まで搬送する。その際、走査機構１１１が前記画像読取位置に停止した状態で、画像読取部１１は原稿９０の画像を読み取る。
【００２６】
以上に示したように、画像読取部１１は、原稿台１３上の原稿９０を走査することにより原稿９０の画像を読み取って画像データを出力する画像読取処理を実行可能である。原稿９０全体の前記画像データは、複数の前記画像データ列の集合である。
【００２７】
画像形成装置２は、画像読取装置１から出力される前記画像データに応じた画像を記録シート９に形成する装置である。記録シート９は、紙、コート紙、ハガキ、封筒、およびＯＨＰシートなどのシート状の画像形成媒体である。
【００２８】
例えば、画像形成装置２は、シート供給部３０、シート搬送部３、画像形成部４、光走査部５および定着部６などを備える。図１が示す画像形成装置２は、電子写真方式の画像形成装置である。なお、画像形成装置２がインクジェット方式などの他の方式の画像形成装置であることも考えられる。
【００２９】
画像形成部４は、画像読取部１１が出力する画像データに応じた画像を記録シート９に形成する画像形成処理を実行する。図１に示される画像形成装置２は、タンデム型画像形成装置であり、カラープリンターである。そのため、画像形成部４は、中間転写ベルト４８、二次クリーニング装置４８０および二次転写装置４９をさらに備える。
【００３０】
また、画像形成部４は、シアン、マゼンタ、イエローおよびブラックの各色に対応した複数の単色画像形成部４ｘを備える。さらに、画像処理装置１０は、シアン、マゼンタ、イエローおよびブラックの各色の現像剤を後述する現像装置４３各々に供給する複数の現像剤補給部４０を備える。
【００３１】
シート供給部３０は、複数の記録シート９を重ねて載置可能に構成されている。シート搬送部３は、送出ローラー３１、搬送ローラー３２および排出ローラー３３などを備える。
【００３２】
送出ローラー３１は、記録シート９に接して回転することにより記録シート９をシート供給部３０からシート搬送路３００へ向けて送り出す。搬送ローラー３２は、記録シート９をシート搬送路３００に沿って画像形成部４の二次転写装置４９へ向けて搬送する。さらに、排出ローラー３３が画像形成後の記録シート９をシート搬送路３００の排出口から排出トレイ１０１上へ排出する。
【００３３】
単色画像形成部４ｘ各々は、前記現像剤の像を担持する感光体４１、帯電装置４２、現像装置４３、一次転写装置４５および一次クリーニング装置４７などを備える。感光体４１は像担持体の一例である。
【００３４】
感光体４１が回転し、帯電装置４２が感光体４１の表面を一様に帯電させる。さらに、光走査部５がレーザー光を走査することにより帯電した感光体４１の表面に静電潜像を書き込む。さらに、現像装置４３が感光体４１に前記現像剤を供給することにより、前記静電潜像を前記現像剤の像へ現像する。なお、前記現像剤は、現像剤補給部４０から現像装置４３へ供給される。
【００３５】
さらに、一次転写装置４５が、中間転写ベルト４８に感光体４１表面の前記現像剤の像を転写する。また、一次クリーニング装置４７が感光体４１表面に残存する前記現像剤を除去する。
【００３６】
中間転写ベルト４８は、環状に形成された無端の帯状部材である。中間転写ベルト４８は、２つのローラーに架け渡された状態で回転する。画像形成部４において、単色画像形成部４ｘ各々は、回転する中間転写ベルト４８の表面に各色の画像を形成する。これにより、各色の画像が重ねられたカラー画像が中間転写ベルト４８に形成される。
【００３７】
二次転写装置４９は、中間転写ベルト４８に形成された前記現像剤の像を記録シート９に転写する。二次クリーニング装置４８０は、中間転写ベルト４８における二次転写装置４９を経た後の部分に残存する前記現像剤を除去する。
【００３８】
定着部６は、ヒーターを内包する加熱ローラー６１と加圧ローラー６２との間に画像が形成された記録シート９を挟み込みつつ後工程へ送り出す。これにより、定着部６は、記録シート９上の前記現像剤を加熱し、記録シート９上に画像を定着させる。
【００３９】
操作表示部８０は、例えばタッチパネルおよび操作ボタンなどを含む操作入力部であるとともに、液晶表示パネルおよび通知ランプなどを含む表示部でもある。操作表示部８０は、前記画像読取処理の開始イベントを発生させるための操作部である開始ボタン８０ｓを含む。開始ボタン８０ｓは、前記画像読取処理の開始を装置に指示するための開始操作部の一例である。
【００４０】
制御部８は、操作表示部８０を通じて入力される入力情報および各種センサーの検出結果に基づいて、画像処理装置１０が備える各種の電気機器を制御する。また、制御部８は、操作表示部８０に操作メニューなどを表示させる。さらに、制御部８は、画像読取装置１を通じて入力される画像に対する画像処理を実行する。
【００４１】
例えば、図２が示すように、制御部８は、ＭＰＵ（Micro Processor Unit）８１、記憶部８２、画像読取制御部８３、画像処理部８４、画像形成制御部８５、信号インターフェイス８６および通信部８７などを備える。
【００４２】
ＭＰＵ８１は、各種の演算処理を実行するプロセッサーである。記憶部８２は、ＭＰＵ８１に各種の処理を実行させるためのプログラムＰｒ１，Ｐｒ２などの情報が予め記憶される不揮発性の情報記憶媒体である。さらに、記憶部８２は、ＭＰＵ８１による各種情報の読み書きが可能な情報記憶媒体でもある。
【００４３】
制御部８は、ＭＰＵ８１が記憶部８２に予め記憶された各種のプログラムＰｒ１，Ｐｒ２実行することにより画像処理装置１０を統括的に制御する。
【００４４】
以下の説明において、画像処理装置１０が実行する処理のうち、原稿台１３上の原稿９０の画像を読み取る前記画像読取処理を伴う処理のことを原稿画像処理と称する。前記原稿画像処理は、例えば複写処理および原稿画像データ送信処理などである。
【００４５】
前記複写処理において、画像処理装置１０は、前記画像読取処理を実行するとともに、前記画像読取処理によって得られる前記画像データに対応する画像を記録シート９に形成する。一方、前記原稿画像データ送信処理において、画像処理装置１０は、前記画像読取処理を実行するとともに、前記画像読取処理によって得られる前記画像データを他の装置へ送信する。
【００４６】
本実施形態において、制御部８は、操作表示部８０を通じて指定される原稿画像処理モードが複写モードである場合に、画像読取部１１に前記画像読取処理を実行させるとともに、前記画像読取処理によって得られる前記画像データに対応する画像を記録シート９に形成する前記画像形成処理を画像形成部４に実行させる。
【００４７】
また、制御部８は、前記原稿画像処理モードが送信モードである場合に、画像読取部１１に前記画像読取処理を実行させるとともに、前記画像読取処理によって得られる前記画像データを予め設定された宛先へ送信する前記画像データ送信処理を実行する。
【００４８】
通常、制御部８は、開始ボタン８０ｓが操作されたことを検知した際に前記画像読取処理を伴う前記原稿画像処理を画像読取部１１およびその他の機器に実行させる。
【００４９】
信号インターフェイス８６は、ＭＰＵ８１とセンサーおよび制御対象機器などとの間の信号の受け渡しを中継するインターフェイス回路である。ＭＰＵ８１は、信号インターフェイス８６を介して各種のセンサーの検出信号（計測信号）を入力する。さらに、ＭＰＵ８１は、信号インターフェイス８６を介して制御対象機器へ制御信号を出力する。
【００５０】
画像読取制御部８３は、ＭＰＵ８１からの読取開始指令に従って画像読取部１１に前記画像読取処理を実行させる。その際、画像読取制御部８３は、画像読取部１１の走査機構１１１および発光部１１２を制御することにより、画像読取部１１による副走査方向Ｒ２の走査位置および発光部１１２の発光状態を制御する。
【００５１】
画像処理部８４は、画像読取部１１を通じて得られる画像データを入力し、画像処理を実行する。例えば、画像処理部８４は、周知のシェーディング補正処理および光量相当データから濃度相当データへの変換処理などの画像処理を実行する。
【００５２】
また、画像処理部８４は、原稿台カバー１２が開かれた状態で前記画像読取処理が実行される場合に、原稿外領域データ置換処理を実行する。前記原稿外領域置換処理は、前記画像データにおける各画素を前記原稿領域の画素と前記原稿外領域の画素とに区分し、前記原稿外領域の画素のデータを白色のデータなどの予め設定されたデータに置換する処理である。
【００５３】
画像形成制御部８５は、画像を記録シート９に形成する画像形成処理を画像形成部４に実行させる。前記画像形成処理において、画像形成制御部８５は、画像データが示す各画素の濃度に応じて光走査部５が出力するレーザー光の光量を調節する。例えば、前記原稿画像処理モードが前記複写モードである場合、画像形成制御部８５は、画像処理部８４が出力する画像データに対応する画像を記録シート９に形成する前記画像形成処理を画像形成部４に実行させる。
【００５４】
通信部８７は、パーソナルコンピューターまたは携帯端末などの情報端末との間で有線または無線による通信を実行する。例えば、前記原稿画像処理モードが前記送信モードである場合、通信部８７は、画像処理部８４が出力する画像データを予め設定された前記情報端末の通信アドレスを宛先として送信する。
【００５５】
ところで、本または冊子などの厚みの大きな原稿９０が原稿台１３に載置される場合のように、原稿台カバー１２を完全に閉状態にすることができない場合がある。この場合、画像読取装置１は、原稿台カバー１２が閉状態になることを開始トリガーとして前記画像読取処理を実行することができない。
【００５６】
一方、原稿９０が本または冊子などの見開き原稿である場合、原稿９０がユーザーの一方の手で原稿台１３に押さえ付けられ、原稿台カバー１２がユーザーの他方の手で前記閉位置へ向けて押さえられることが多い。このような場合に、開始ボタン８０ｓの操作無しで、ユーザーが意図するタイミングで前記画像読取処理が実行されれば便利である。
【００５７】
画像処理装置１０は、原稿台カバー１２を閉状態にできない場合などにおいても、開始ボタン８０ｓの操作無しで、ユーザーが意図するタイミングで前記画像読取処理を実行できる。以下、そのために備える画像処理装置１０の構成および機能について説明する。
【００５８】
画像処理装置１０は、開始ボタン８０ｓが操作されない場合でも、原稿台カバー１２が予め定められたパターンで操作されることによって前記原稿画像処理を開始する機能を備える。以下の説明において、原稿台カバー１２の操作に応じて前記原稿画像処理を開始する画像処理装置１０の動作モードのことをカバー操作モードと称する。
【００５９】
画像処理装置１０における画像読取装置１は、原稿台カバー１２の位置の変化を検出可能なロータリーエンコーダー８００を備える。ロータリーエンコーダー８００は、ヒンジ部１４に設けられている。
【００６０】
ロータリーエンコーダー８００は、原稿台カバー１２が前記閉位置から前記開位置までの間のいずれの位置に存在するかを多段階で検出するセンサーである。従って、ロータリーエンコーダー８００の検出信号の変化は、前記閉位置と前記開位置との間の中間回動範囲における原稿台カバー１２の位置の変化を表す。なお、ロータリーエンコーダー８００は、前記中間回動範囲における原稿台カバー１２の位置の変化を検出可能な回動センサーの一例である。
【００６１】
また、ロータリーエンコーダー８００は、原稿台カバー１２が前記閉位置に存在するか否かを検知するセンサーを兼ねる。従って、画像読取装置１において、原稿台カバー１２が前記閉位置に存在するか否かを検知するスイッチ式のセンサーは不要である。
【００６２】
［原稿画像処理開始制御］
次に、図３に示されるフローチャートを参照しつつ、画像処理装置１０における原稿画像処理開始制御の手順の一例について説明する。以下の説明において、Ｓ１０１，Ｓ１０２，…は、制御部８におけるＭＰＵ８１、画像読取制御部８３、画像処理部８４、画像形成制御部８５および通信部８７が実行する各工程の識別符号を表す。
【００６３】
図３に示される前記原稿画像処理開始制御が開始される前に、前記画像読取処理および前記画像形成処理の実行パラメーターが操作表示部８０に対する操作によって指定される。前記実行パラメーターの指定操作がなされない場合、前記画像読取処理および前記画像形成処理において、予め定められた前記実行パラメーターが採用される。前記実行パラメーターは、例えば、画像読み取りの解像度および形成画像の濃さなどのパラメーターである。
【００６４】
＜工程Ｓ１０１，Ｓ１０２＞
まず、ＭＰＵ８１は、操作表示部８０に対して前記カバー操作モードを指定する操作が行われたか否かを判定する処理（Ｓ１０１）と、開始ボタン８０ｓの操作が行われたか否かを判定する処理（Ｓ１０２）とを随時実行する。
【００６５】
前記カバー操作モードを指定する操作は、前記原稿画像処理の動作モードとして前記カバー操作モードを指定するための予め定められた操作である。
【００６６】
そして、ＭＰＵ８１は、開始ボタン８０ｓに対する操作を検知した場合、制御工程を前記原稿画像処理の工程Ｓ１０６へ移行させる。一方、ＭＰＵ８１は、操作表示部８０に対して前記カバー操作モードを指定する操作が成されたことを検知した場合、制御工程を後述する開始条件判定処理の工程Ｓ１０３へ移行させる。
【００６７】
工程Ｓ１０１，Ｓ１０２の処理は、ＭＰＵ８１がカバー操作モード検知プログラムＰｒ１を実行することによって実現される。カバー操作モード検知プログラムＰｒ１を実行するＭＰＵ８１は、前記カバー操作モードを指定するための予め定められた操作が操作部に対して行われたことを検知するカバー操作モード検知部として機能する。
【００６８】
＜工程Ｓ１０３＞
前記カバー操作モードを指定する操作が検知された場合、ＭＰＵ８１が、前記開始条件判定処理を実行する。前記開始条件判定処理は、ロータリーエンコーダー８００の検出結果が予め設定された開始条件を満たすか否かを判定する処理である。前記開始条件判定処理の具体例については後述する。
【００６９】
前記開始条件を特定する開始条件情報Ｄ１は、予め記憶部８２に記憶されている。ＭＰＵ８１は、開始条件情報Ｄ１を参照することによって前記開始条件を特定する。
【００７０】
工程Ｓ１０３の処理は、ＭＰＵ８１が開始条件判定プログラムＰｒ２を実行することによって実現される。即ち、開始条件判定プログラムＰｒ２を実行するＭＰＵ８１は、ロータリーエンコーダー８００の検出結果が前記開始条件を満たすか否かを判定する開始条件判定部として機能する。
【００７１】
＜工程Ｓ１０４＞
そして、ロータリーエンコーダー８００の検出結果が前記開始条件を満たす場合、ＭＰＵ８１は、制御工程を前記原稿画像処理の工程Ｓ１０６へ移行させる。一方、ロータリーエンコーダー８００の検出結果が前記開始条件を満たさない場合、ＭＰＵ８１は、制御工程を次の工程Ｓ１０５へ移行させる。
【００７２】
＜工程Ｓ１０５＞
ロータリーエンコーダー８００の検出結果が前記開始条件を満たさない場合、ＭＰＵ８１は、前記カバー操作モードを指定する操作が検知されてからの第１経過時間が予め定められた第１タイムアウト時間を超えたか否かを判定する。前記第１経過時間が前記第１タイムアウト時間を超えていない場合、ＭＰＵ８１は、制御工程を前述の工程Ｓ１０３へ移行させる。
【００７３】
即ち、前記カバー操作モードを指定する操作が検知されてから前記第１タイムアウト時間が経過しない限り、ＭＰＵ８１は、前記開始条件が成立するまでロータリーエンコーダー８００の検出結果を監視する。
【００７４】
一方、前記開始条件が成立しないまま前記第１経過時間が前記第１タイムアウト時間を超えた場合、ＭＰＵ８１は、制御工程を前述の工程Ｓ１０１へ移行させる。これにより、前記原稿画像処理開始制御が最初から実行される。
【００７５】
＜工程Ｓ１０６＞
ロータリーエンコーダー８００の検出結果が前記開始条件を満たす場合、または、開始ボタン８０ｓに対する操作が検知された場合、前記原稿画像処理が実行される。前記原稿画像処理の具体例については後述する。工程Ｓ１０６の終了後、ＭＰＵ８１は、制御工程を前述の工程Ｓ１０１へ移行させる。
【００７６】
工程Ｓ１０６の前記原稿画像処理は、少なくとも画像読取制御部８３が画像読取部１１に前記画像読取処理を実行させる工程を含む。即ち、画像読取制御部８３は、少なくともロータリーエンコーダー８００の検出結果が予め設定された前記開始条件を満たす場合に、画像読取部１１に前記画像読取処理を実行させる。
【００７７】
［開始条件判定処理］
次に、図４および図５を参照しつつ、画像処理装置１０における前記開始条件判定処理（Ｓ１０３）の手順の一例について説明する。図４は、前記開始条件判定処理の手順の一例を示すフローチャートである。図５（Ａ）、図５（Ｂ）は、前記原稿画像処理の開始のための原稿台カバー１２の操作手順の一例を示す図である。以下に示される工程Ｓ２０１〜Ｓ２０６の処理は、ＭＰＵ８１が開始条件判定プログラムＰｒ２を実行することによって実現される。
【００７８】
＜工程Ｓ２０１＞
まず、ＭＰＵ８１は、ロータリーエンコーダー８００の検出角度が予め設定された起点範囲Ｗ０内で維持されたか否かを判定する。起点範囲Ｗ０は、原稿台カバー１２の閉位置Ｐｃと開位置Ｐｏとの間の一部の範囲である。図５（Ａ）は、原稿台カバー１２の位置が起点範囲Ｗ０内に維持されている状態を示す。
【００７９】
例えば、図５が示すように、起点範囲Ｗ０の下限角度θ１および上限角度θ２が、原稿台カバー１２が閉位置Ｐｃに存在する状態を基準にした原稿台カバー１２の開き角度であるとする。この場合、ＭＰＵ８１は、ロータリーエンコーダー８００の検出角度が起点範囲Ｗ０の下限角度θ１および上限角度θ２の間である状態が予め定められた時間Ｔｘ以上継続した場合に、前記検出角度が起点範囲Ｗ０内で維持されたと判定する。時間Ｔ１は、例えば数秒程度の時間である。
【００８０】
また、ＭＰＵ８１が、前記検出角度が起点範囲Ｗ０内で維持されたと判定したときに、原稿台カバー１２の操作を認識した旨の通知を出力することも考えられる。前記通知は、例えば、操作表示部８０および不図示の音響出力部の一方または両方を通じて出力される。これにより、ユーザーは、原稿台カバー１２を起点範囲Ｗ０に維持する操作が装置によって認識されたことを容易に確認できる。
【００８１】
＜工程Ｓ２０２＞
ロータリーエンコーダー８００の検出角度が起点範囲Ｗ０内で維持されない場合、ＭＰＵ８１は、前記第１経過時間が前記第１タイムアウト時間を超えたか否かを判定する。前記第１経過時間が前記第１タイムアウト時間を超えていない場合、ＭＰＵ８１は、制御工程を前述の工程Ｓ２０１へ移行させる。
【００８２】
即ち、前記カバー操作モードを指定する操作が検知されてから前記第１タイムアウト時間が経過しない限り、ＭＰＵ８１は、前記検出角度が起点範囲Ｗ０内で維持される状態になるまで前記検出結果を監視する。そして、前記検出角度が起点範囲Ｗ０内で維持された場合、ＭＰＵ８１は、制御工程を次の工程Ｓ２０３へ移行させる。
【００８３】
一方、前記検出角度が起点範囲Ｗ０内で維持される状態にならないまま前記第１経過時間が前記第１タイムアウト時間を超えた場合、ＭＰＵ８１は、制御工程を後述する工程Ｓ２０６へ移行させる。
【００８４】
＜工程Ｓ２０３＞
前記検出角度が起点範囲Ｗ０内で維持されたことが検知されると、ＭＰＵ８１は、前記検出角度が起点範囲Ｗ０よりも小さい角度へ変化したか否かを判定する。前記検出角度が起点範囲Ｗ０よりも小さい角度へ変化したことは、原稿台カバー１２が起点範囲Ｗ０内から起点範囲Ｗ０よりも閉位置Ｐｃに近い側へ変位したことを示す。
【００８５】
例えば、ＭＰＵ８１は、前記検出角度が起点範囲Ｗ０内に維持されてから起点範囲Ｗ０よりも閉位置Ｐｃ側の終点範囲Ｗ１内へ変化した場合に、前記検出角度が起点範囲Ｗ０よりも小さい角度へ変化したと判定する。図５（Ｂ）は、原稿台カバー１２の位置が起点範囲Ｗ０内から終点範囲Ｗ１内へ変化した状態を示す。
【００８６】
図５が示す例では、終点範囲Ｗ１は、起点範囲Ｗ０に対して所定角度θ３分だけ閉位置Ｐｃ寄りの位置から閉位置Ｐｃまでの範囲である。
【００８７】
＜工程Ｓ２０４＞
前記検出角度が起点範囲Ｗ０よりも小さい角度へ変化したことが検知されない場合、ＭＰＵ８１は、前記検出角度が起点範囲Ｗ０内で維持されたことを検知してからの第２経過時間が予め設定された第２タイムアウト時間を超えたか否かを判定する。前記第２経過時間が前記第２タイムアウト時間を超えていない場合、ＭＰＵ８１は、制御工程を前述の工程Ｓ２０３へ移行させる。
【００８８】
一方、前記検出角度が起点範囲Ｗ０よりも小さい角度へ変化したことが検知されないまま前記第２経過時間が前記第２タイムアウト時間を超えた場合、ＭＰＵ８１は、制御工程を後述する工程Ｓ２０６へ移行させる。
【００８９】
＜工程Ｓ２０５＞
工程Ｓ２０３において前記検出角度が起点範囲Ｗ０よりも小さい角度へ変化したことが検知された場合、ＭＰＵ８１は、前記開始条件が成立したと判定する。これにより、前記開始条件判定処理が終了する。
【００９０】
＜工程Ｓ２０６＞
一方、工程Ｓ２０６において、ＭＰＵ８１は、前記開始条件が成立しなかったと判定する。これにより、前記開始条件判定処理が終了する。工程Ｓ２０６は、前記検出角度が起点範囲Ｗ０内で維持される状態にならないまま前記第１経過時間が前記第１タイムアウト時間を超えた場合、または、前記検出角度が起点範囲Ｗ０内からそれより小さい角度へ変化したことが検知されないまま前記第２経過時間が前記第２タイムアウト時間を超えた場合に実行される。
【００９１】
ＭＰＵ８１が、工程Ｓ２０６において前記開始条件が成立したと判定すると、図３が示す工程Ｓ１０６において、画像読取制御部８３が画像読取部１１に前記画像読取処理を実行させる。
【００９２】
以上に示されるように、本実施形態における前記開始条件は、原稿台カバー１２が前記中間回動範囲における予め設定された起点範囲Ｗ０内に維持された状態から起点範囲Ｗ０外へ変位したことを含む。
【００９３】
また、本実施形態において、原稿台カバー１２の位置の変化を検出するセンサーがロータリーエンコーダー８００である。ロータリーエンコーダー８００は、原稿台カバー１２の回動の速度および加速度を検出することも可能である。
【００９４】
従って、前記開始条件が、原稿台カバー１２の回動の速度および加速度のうちの一方または両方の条件を含むことも考えられる。例えば、工程Ｓ２０３において、ＭＰＵ８１が、前記検出角度が起点範囲Ｗ０からそれよりも小さい角度へ予め定められた速度または加速度以上で変化したか否かを判定することなどが考えられる。
【００９５】
［原稿画像処理］
次に、図６を参照しつつ、画像処理装置１０における前記原稿画像処理（Ｓ１０６）の手順の一例について説明する。図６は、前記原稿画像処理の手順の一例を示すフローチャートである。以下に示される工程Ｓ３０１〜Ｓ３０７の処理は、画像読取制御部８３、画像処理部８４および画像形成制御部８５が実行する。
【００９６】
＜工程Ｓ３０１＞
前記原稿画像処理において、まず、画像読取制御部８３が、画像読取部１１に対して前記画像読取処理を実行させる。これにより、画像読取部１１は、原稿台１３上を走査して前記線状領域各々の前記画像データ列を順次出力する。
【００９７】
＜工程Ｓ３０２＞
さらに、画像処理部８４が、画像読取部１１が順次出力する前記画像データ列各々に対して周知のシェーディング補正処理などに加え、前記原稿外領域データ置換処理を実行する。これにより、原稿台カバー１２が閉位置Ｐｃまで完全に閉じられた状態ではない場合に、画像データが前記原稿外領域において黒または黒に近い色で色ムラが生じた状態を表すデータになることが防止される。
【００９８】
＜工程Ｓ３０３＞
さらに、画像処理部８４が、前記原稿画像処理モードとして前記複写モードが指定されているか前記送信モードが指定されているかを判定する。前記複写モードが指定されている場合、画像処理部８４は前記原稿外領域データ置換処理などの画像処理が施された後の画像データを画像形成制御部８５へ引き渡す。また、前記送信モードが指定されている場合、画像処理部８４は、前記画像処理が施された後の前記画像データを通信部８７へ引き渡す。
【００９９】
＜工程Ｓ３０４＞
前記複写モードが指定されている場合、画像形成制御部８５が画像処理部８４から得る前記画像データ列に基づく前記画像形成処理を画像形成部４に実行させる。これにより、画像読取部１１が画像処理部８４を通じて出力する前記画像データに応じた画像が記録シート９に形成される。
【０１００】
＜工程Ｓ３０５＞
前記送信モードが指定されている場合、通信部８７が画像処理部８４から得る前記画像データ列を不図示の送信データ記憶部に蓄積する。
【０１０１】
＜工程Ｓ３０６＞
画像読取制御部８３は、原稿台１３上の全走査範囲について前記画像読取処理が終了するまで工程Ｓ３０１の処理を継続する。これにより、工程Ｓ３０２〜Ｓ３０５の処理が、前記全走査範囲について得られた前記画像データ列について実行される。
【０１０２】
＜工程Ｓ３０７＞
前記送信モードが指定されている場合、前記全走査範囲について得られた前記画像データ列について工程Ｓ３０２〜Ｓ３０５の処理が終了した後に、通信部８７は、蓄積された複数の前記画像データ列の集合である画像データを予め設定された宛先へ送信する。前記画像データの送信が終了すると、前記原稿画像処理が終了する。
【０１０３】
一方、前記複写モードが指定されている場合、前記全走査範囲について得られた前記画像データ列について工程Ｓ３０２〜Ｓ３０５の処理が終了した時点で、前記原稿画像処理が終了する。
【０１０４】
以上に示される画像処理装置１０は、前記原稿画像処理開始制御を実行することにより、原稿台カバー１２を閉位置Ｐｃまで閉じることができない場合などにおいても、開始ボタン８０ｓの操作無しで、ユーザーが意図するタイミングで前記画像読取処理を含む前記原稿画像処理を実行できる。
【０１０５】
また、図４が示す例において、前記開始条件は、原稿台カバー１２が起点範囲Ｗ０内に維持された状態から起点範囲Ｗ０外へ変位したことを含む。このような原稿台カバー１２の操作パターンは、ユーザーにとってわかりやすい。
【０１０６】
また、前記開始条件が、前記原稿台カバーの回動の速度および加速度のうちの一方または両方の条件を含めば、前記原稿画像処理の開始のための原稿台カバー１２の操作をその他の操作との間でより明確に区別することができる。
【０１０７】
［第２実施形態］
次に、図７〜９を参照しつつ、第２実施形態に係る画像処理装置１０Ａについて説明する。図７は、画像処理装置１０Ａにおける制御関連機器のブロック図である。図８は、画像処理装置１０Ａにおける原稿台１３および原稿台カバー１２の部分の概略図である。図８（Ａ）は原稿台カバー１２が開いた状態を示し、図８（Ｂ）は原稿台カバー１２が閉じた状態を示す。図９は、画像処理装置１０Ａにおける前記開始条件判定処理の手順の一例を示すフローチャートである。
【０１０８】
図７，８において、図１〜６に示される構成要素と同じ構成要素は、同じ参照符号が付されている。以下、画像処理装置１０Ａにおける画像処理装置１０と異なる点について説明する。
【０１０９】
画像処理装置１０Ａは、画像処理装置１０にカバー圧力検出部７が追加された構成を有している。図８が示すように、カバー圧力検出部７は、原稿台カバー１２の内側面１２ｆに設けられている。カバー圧力検出部７は、圧力センサー７１、板状部材７２および弾性連結部７３を備える。
【０１１０】
圧力センサー７１は、原稿台カバー１２における原稿台１３に対向する内側面１２ｆに取り付けられている。例えば、圧力センサー７１は、原稿台カバー１２の内側面１２ｆに接着されている。静電容量式、拡散式、成膜式または抵抗線式などの各種の方式の圧力センサーがカバー圧力検出部７の圧力センサー７１として採用され得る。
【０１１１】
板状部材７２は、原稿台カバー１２の内側面１２ｆと間に圧力センサー７１を挟み込む状態で原稿台カバー１２に取り付けられている。本実施形態においては、板状部材７２が原稿台カバー１２の内側面１２ｆに沿う状態で、弾性変形可能な弾性連結部７３が原稿台カバー１２の内側面１２ｆと板状部材７２とを連結している。弾性連結部７３は、例えばゴム、バネ、折り曲げられた状態で可撓性を有する樹脂フィルムまたは発泡樹脂部材などである。
【０１１２】
図８（Ｂ）が示すように、原稿台カバー１２が閉位置Ｐｃへ向けて押さえられることによって板状部材７２が原稿９０に接触すると、原稿９０から板状部材７２を介して圧力センサー７１へ圧力が加わる。従って、圧力センサー７１が一定以上の圧力を検出したか否かを判定することにより、原稿台カバー１２が原稿９０を押さえる位置まで閉じられたか否かを判定することができる。
【０１１３】
また、板状部材７２が原稿９０と圧力センサー７１との間に介在するため、原稿９０が圧力センサー７１の位置から外れた位置に存在しても、原稿台カバー１２が原稿９０を押さえる位置まで閉じられたか否かを判定することができる。
【０１１４】
画像処理装置１０Ａは、ロータリーエンコーダー８００の検出結果が、前記開始条件を満たすことに加え、圧力センサー７１の検出結果が予め定められた圧力条件を満たす場合に前記原稿画像処理を実行する点において、画像処理装置１０と異なる。
【０１１５】
［開始条件判定処理］
次に、図９を参照しつつ、画像処理装置１０における前記開始条件判定処理（Ｓ１０３）の手順の一例について説明する。図９は、画像処理装置１０Ａにおける前記開始条件判定処理の手順の一例を示すフローチャートである。以下に示される工程Ｓ４０１〜Ｓ４０８の処理は、ＭＰＵ８１が開始条件判定プログラムＰｒ２を実行することによって実現される。
【０１１６】
＜工程Ｓ４０１＞
まず、ＭＰＵ８１は、図４の工程Ｓ２０１と同様に、ロータリーエンコーダー８００の検出角度が予め設定された起点範囲Ｗ０内で維持されたか否かを判定する。
【０１１７】
＜工程Ｓ４０２＞
ロータリーエンコーダー８００の検出角度が起点範囲Ｗ０内で維持されない場合、ＭＰＵ８１は、図４の工程Ｓ２０２と同様に、前記第１経過時間が前記第１タイムアウト時間を超えたか否かを判定する。前記第１経過時間が前記第１タイムアウト時間を超えていない場合、ＭＰＵ８１は、制御工程を前述の工程Ｓ４０１へ移行させる。
【０１１８】
そして、前記検出角度が起点範囲Ｗ０内で維持された場合、ＭＰＵ８１は、制御工程を次の工程Ｓ４０３へ移行させる。一方、前記検出角度が起点範囲Ｗ０内で維持される状態にならないまま前記第１経過時間が前記第１タイムアウト時間を超えた場合、ＭＰＵ８１は、制御工程を後述する工程Ｓ４０８へ移行させる。
【０１１９】
＜工程Ｓ４０３＞
工程Ｓ４０１において前記検出角度が起点範囲Ｗ０内で維持されたことが検知されると、ＭＰＵ８１は、図４の工程Ｓ２０３と同様に、前記検出角度が起点範囲Ｗ０よりも小さい角度へ変化したか否かを判定する。
【０１２０】
＜工程Ｓ４０４＞
前記検出角度が起点範囲Ｗ０よりも小さい角度へ変化したことが検知されない場合、ＭＰＵ８１は、図４の工程Ｓ２０４と同様に、前記第２経過時間が前記第２タイムアウト時間を超えたか否かを判定する。前記第２経過時間が前記第２タイムアウト時間を超えていない場合、ＭＰＵ８１は、制御工程を前述の工程Ｓ４０３へ移行させる。
【０１２１】
一方、前記検出角度が起点範囲Ｗ０よりも小さい角度へ変化したことが検知されないまま前記第２経過時間が前記第２タイムアウト時間を超えた場合、ＭＰＵ８１は、制御工程を後述する工程Ｓ４０８へ移行させる。
【０１２２】
＜工程Ｓ４０５＞
工程Ｓ４０３において前記検出角度が起点範囲Ｗ０よりも小さい角度へ変化したことが検知された場合、ＭＰＵ８１は、圧力センサー７１の検出圧力が予め設定されたしきい値を超えているか否かを判定する。即ち、工程Ｓ４０３において、ＭＰＵ８１は、原稿台カバー１２が原稿台１３上の原稿９０を押さえる位置まで閉じられたか否かを判定する。
【０１２３】
＜工程Ｓ４０６＞
前記圧力センサー７１の検出圧力が前記しきい値を超えたことが検知されない場合、ＭＰＵ８１は、前記第２経過時間が前記第２タイムアウト時間を超えたか否かを判定する。前記第２経過時間が前記第２タイムアウト時間を超えていない場合、ＭＰＵ８１は、制御工程を前述の工程Ｓ４０５へ移行させる。
【０１２４】
一方、前記検出圧力が前記しきい値を超えたことが検知されないまま前記第２経過時間が前記第２タイムアウト時間を超えた場合、ＭＰＵ８１は、制御工程を工程Ｓ４０８へ移行させる。
【０１２５】
＜工程Ｓ４０７＞
工程Ｓ４０５において前記圧力センサー７１の検出圧力が前記しきい値を超えている場合、ＭＰＵ８１は、前記開始条件が成立したと判定する。これにより、前記開始条件判定処理が終了する。
【０１２６】
＜工程Ｓ４０８＞
一方、工程Ｓ４０８において、ＭＰＵ８１は、前記開始条件が成立しなかったと判定する。これにより、前記開始条件判定処理が終了する。工程Ｓ４０８は、前記検出角度が起点範囲Ｗ０内で維持される状態にならないまま前記第１経過時間が前記第１タイムアウト時間を超えた場合、前記検出角度が起点範囲Ｗ０内からそれより小さい角度へ変化したことが検知されないまま前記第２経過時間が前記第２タイムアウト時間を超えた場合、または前記検出圧力が前記しきい値を超えたことが検知されないまま前記第２経過時間が前記第２タイムアウト時間を超えた場合に実行される。
【０１２７】
ＭＰＵ８１が、工程Ｓ４０８において前記開始条件が成立したと判定すると、図３の工程Ｓ１０６において、画像読取制御部８３が画像読取部１１に前記画像読取処理を実行させる。
【０１２８】
画像処理装置１０Ａにおいて、画像読取制御部８３は、ロータリーエンコーダー８００の検出結果が工程Ｓ４０１，Ｓ４０３で判定される開始条件を満たした後、圧力センサー７１の検出結果が工程Ｓ４０５で判定される圧力条件を満たす場合に、画像読取部１１に前記画像読取処理を実行させる。
【０１２９】
画像処理装置１０Ａによれば、原稿９０の厚みに関わらず、原稿台カバー１２が可能な限り閉位置Ｐｃに近い状態まで閉じられたタイミングで前記画像読取処理が開始される。その結果、前記画像読取処理が実行されているときに、読み取り画像のノイズとなる外光が原稿台１３を通じてイメージセンサー１１４に入射してしまうことを極力防止することができる。この効果は、原稿９０が本または冊子などの見開き原稿である場合に特に顕著となる。
【０１３０】
［第３実施形態］
次に、図１０〜１４を参照しつつ、第３実施形態に係る画像処理装置１０Ｂについて説明する。図１０は、画像処理装置１０Ｂにおける制御関連機器のブロック図である。図１１は、画像処理装置１０Ｂにおける前記原稿画像処理開始制御の手順の一例を示すフローチャートである。図１２は、画像処理装置１０Ｂにおけるモノクロモードでの前記画像形成処理を指定するための原稿台カバー１２の操作手順の一例を示す図である。図１３は、画像処理装置１０Ｂにおけるカラーモードでの前記画像形成処理を指定するための原稿台カバーの操作手順の一例を示す図である。図１４は、シート供給部選択モードでの前記画像形成処理を指定するための原稿台カバーの操作手順の一例を示す図である。
【０１３１】
図１０，１２〜１４において、図１〜６に示される構成要素と同じ構成要素は、同じ参照符号が付されている。以下、画像処理装置１０Ｂにおける画像処理装置１０と異なる点について説明する。
【０１３２】
画像処理装置１０Ｂは、前記カバー操作モードが指定された場合に、ロータリーエンコーダー８００の検出結果に応じて画像形成装置２の画像形成モードを設定する機能を備える点において画像処理装置１０と異なる。
【０１３３】
図１０が示すように、画像処理装置１０Ｂは、ＭＰＵ８１が画像形成モード設定プログラムＰｒ３を実行可能に構成されている。画像形成モード設定プログラムＰｒ３は、予め記憶部８２に記憶されている。さらに、画像処理装置１０Ｂの記憶部８２には、モード指定条件情報Ｄ２が記憶されている。モード指定条件情報Ｄ２は、ＭＰＵ８１が画像形成モード設定プログラムＰｒ３を実行中に参照する情報である。
【０１３４】
［原稿画像処理開始制御］
図１１に示されるフローチャートを参照しつつ、画像処理装置１０Ｂにおける前記原稿画像処理開始制御の手順の一例について説明する。
【０１３５】
図１１に示される前記原稿画像処理開始制御が開始される前に、前記画像読取処理および前記画像形成処理の前記実行パラメーターが操作表示部８０に対する操作によって指定される。前記実行パラメーターの指定操作がなされない場合、前記画像読取処理および前記画像形成処理において、予め定められた前記実行パラメーターが採用される。
【０１３６】
＜工程Ｓ５０１，Ｓ５０２＞
まず、ＭＰＵ８１は、図３の工程Ｓ１０１，Ｓ１０２と同様に、操作表示部８０に対して前記カバー操作モードを指定する操作が行われたか否かを判定する処理（Ｓ５０１）と、開始ボタン８０ｓの操作が行われたか否かを判定する処理（Ｓ５０２）とを随時実行する。
【０１３７】
そして、ＭＰＵ８１は、開始ボタン８０ｓに対する操作を検知した場合、制御工程を前記原稿画像処理の工程Ｓ５０９へ移行させる。一方、ＭＰＵ８１は、操作表示部８０に対して前記カバー操作モードを指定する操作が成されたことを検知した場合、制御工程を後述するモード指定条件判定処理の工程Ｓ５０３へ移行させる。
【０１３８】
工程Ｓ５０１，Ｓ５０２の処理は、ＭＰＵ８１がカバー操作モード検知プログラムＰｒ１を実行することによって実現される。
【０１３９】
＜工程Ｓ５０３＞
前記カバー操作モードを指定する操作が検知された場合、ＭＰＵ８１が、前記モード指定条件判定処理を実行する。前記モード指定条件判定処理は、ロータリーエンコーダー８００の検出結果が予め設定されたモード指定条件を満たすか否かを判定する処理である。前記モード指定条件判定処理の具体例については後述する。
【０１４０】
前記モード指定条件を特定するモード指定条件情報Ｄ２は、予め記憶部８２に記憶されている。ＭＰＵ８１は、モード指定条件情報Ｄ２を参照することによって前記モード指定条件を特定する。
【０１４１】
本実施形態において、前記画像形成モードは、カラー画像形成を行うカラーモードと、モノクロ画像形成を行うモノクロモードと、記録シート９の供給元を選択するシート供給部選択モードとを含む。記録シート９の供給元は、複数のシート供給部３０の中から選択される。原稿台カバー１２の位置の変化パターンを表す前記モード指定条件が、前記画像形成モード各々に対応して予め設定されている。
【０１４２】
＜工程Ｓ５０４＞
そして、ロータリーエンコーダー８００の検出結果が前記モード指定条件を満たす場合、ＭＰＵ８１は、制御工程を次の工程Ｓ５０５へ移行させる。一方、ロータリーエンコーダー８００の検出結果が前記モード指定条件を満たさない場合、ＭＰＵ８１は、制御工程を前記開始条件判定処理の工程Ｓ５０６へ移行させる。
【０１４３】
＜工程Ｓ５０５＞
ロータリーエンコーダー８００の検出結果が前記モード指定条件を満たす場合、ＭＰＵ８１は、成立した前記モード指定条件に対応する前記画像形成モードを、前記画像形成処理の際に採用される前記画像形成モードとして設定する。これにより、前記画像形成モードが、初期値として予め設定されているモードから、成立した前記モード指定条件に対応するモードへ更新される。その後、ＭＰＵ８１は、制御工程を次の工程Ｓ５０６へ移行させる。
【０１４４】
工程Ｓ５０３〜Ｓ５０５の処理は、ＭＰＵ８１が画像形成モード設定プログラムＰｒ３を実行することによって実現される。工程Ｓ５０３〜Ｓ５０５において、ＭＰＵ８１は、ロータリーエンコーダー８００の検出角度が前記モード指定条件を満たす場合に、画像形成部４が実行する前記画像形成処理の動作モードとして、前記検出角度が満たした前記モード指定条件に対応する前記画像形成モードを設定する。なお、画像形成モード設定プログラムＰｒ３を実行するＭＰＵ８１は、画像形成モード設定部の一例である。
【０１４５】
＜工程Ｓ５０６＞
工程Ｓ５０６において、ＭＰＵ８１は、図４の工程Ｓ２０１〜Ｓ２０６と同様に前記開始条件判定処理を実行する。工程Ｓ５０６の処理は、ＭＰＵ８１が開始条件判定プログラムＰｒ２を実行することによって実現される。
【０１４６】
＜工程Ｓ５０７＞
そして、ロータリーエンコーダー８００の検出結果が前記開始条件を満たす場合、ＭＰＵ８１は、制御工程を前記原稿画像処理の工程Ｓ５０９へ移行させる。一方、ロータリーエンコーダー８００の検出結果が前記開始条件を満たさない場合、ＭＰＵ８１は、制御工程を次の工程Ｓ５０８へ移行させる。
【０１４７】
＜工程Ｓ５０８＞
ロータリーエンコーダー８００の検出結果が前記開始条件を満たさない場合、ＭＰＵ８１は、前記第１経過時間が前記第１タイムアウト時間を超えたか否かを判定する。前記第１経過時間が前記第１タイムアウト時間を超えていない場合、ＭＰＵ８１は、制御工程を前述の工程Ｓ５０３へ移行させる。
【０１４８】
即ち、前記カバー操作モードを指定する操作が検知されてから前記第１タイムアウト時間が経過しない限り、ＭＰＵ８１は、前記開始条件が成立するまでロータリーエンコーダー８００の検出結果を監視する。
【０１４９】
一方、前記開始条件が成立しないまま前記第１経過時間が前記第１タイムアウト時間を超えた場合、ＭＰＵ８１は、制御工程を前述の工程Ｓ５０１へ移行させる。これにより、前記原稿画像処理開始制御が最初から実行される。
【０１５０】
＜工程Ｓ５０９＞
ロータリーエンコーダー８００の検出結果が前記開始条件を満たす場合、または、開始ボタン８０ｓに対する操作が検知された場合、図６の工程Ｓ３０１〜Ｓ３０７と同様に、前記原稿画像処理が実行される。工程Ｓ５０９の終了後、ＭＰＵ８１は、制御工程を前述の工程Ｓ５０１へ移行させる。
【０１５１】
また、前記画像形成モードを設定する工程Ｓ５０５が行われている場合、工程Ｓ３０４において、工程Ｓ５０５で設定された前記画像形成モードに従って前記画像形成処理が実行される。なお、前記画像形成モードを設定する工程Ｓ５０５が行われていない場合、工程Ｓ３０４において、初期値として予め設定されている前記画像形成モードに従って前記画像形成処理が実行される。
【０１５２】
次に、図１２〜１４を参照しつつ、工程Ｓ５０３で判定される前記モード指定条件に対応する原稿台カバー１２の操作手順の具体例について説明する。以下の説明において、原稿台カバー１２の回動範囲のうちの起点範囲Ｗ０と終点範囲Ｗ１との間の範囲のことを第１部分範囲Ｗ２と称する。また、原稿台カバー１２の回動範囲のうちの起点範囲Ｗ０よりも開位置Ｐｏ側の範囲のことを第２部分範囲Ｗ３と称する。
【０１５３】
図１２は、前記モノクロモードでの前記画像形成処理を指定するための原稿台カバー１２の操作手順の一例を示す図である。図１２（Ａ）は、原稿台カバー１２の位置が起点範囲Ｗ０内に維持されている状態を示す。図１２（Ｂ）は、原稿台カバー１２の位置が起点範囲Ｗ０内に維持された状態から第２部分範囲Ｗ３を経ることなく終点範囲Ｗ１へ変化した状態を示す。
【０１５４】
図１２が示す例では、原稿台カバー１２が起点範囲Ｗ０内に維持された状態から第２部分範囲Ｗ３を経ることなく終点範囲Ｗ１内へ変位したときに、ＭＰＵ８１は、前記モノクロモードでの前記画像形成処理を指定する前記モード指定条件が成立したと判定する。
【０１５５】
図１２が示す原稿台カバー１２の操作手順は、前記開始条件に対応する操作手順と同じである。従って、図１２が示す例は、ロータリーエンコーダー８００の検出角度が前記モード指定条件を満たすことなく前記開始条件を満たすことにより、前記画像形成モードの初期値である前記モノクロモードが採用される例であるともいえる。
【０１５６】
図１３は、前記カラーモードでの前記画像形成処理を指定するための原稿台カバー１２の操作手順の一例を示す図である。図１３（Ａ）は、原稿台カバー１２の位置が起点範囲Ｗ０内に維持されている状態を示す。図１３（Ｂ）は、原稿台カバー１２の位置が起点範囲Ｗ０内に維持された状態から第１部分範囲Ｗ２を経ることなく第２部分範囲Ｗ３へ変化した状態を示す。図１３（Ｃ）は、原稿台カバー１２の位置が第２部分範囲Ｗ３から終点範囲Ｗ１内へ変化した状態を示す。
【０１５７】
図１３が示す例では、原稿台カバー１２が起点範囲Ｗ０内に維持された状態から第２部分範囲Ｗ３へ変位した後に終点範囲Ｗ１内へ変位したときに、ＭＰＵ８１は、前記カラーモードでの前記画像形成処理を指定する前記モード指定条件が成立したと判定する。
【０１５８】
図１４は、前記シート供給部選択モードでの前記画像形成処理を指定するための原稿台カバーの操作手順の一例を示す図である。図１４（Ａ）は、原稿台カバー１２の位置が起点範囲Ｗ０内に維持されている状態を示す。図１４（Ｂ）は、原稿台カバー１２の位置が起点範囲Ｗ０内に維持された状態から第１部分範囲Ｗ２内へ変化した状態を示す。図１４（Ｃ）は、原稿台カバー１２の位置が第１部分範囲Ｗ２内から再び起点範囲Ｗ０内へ変化した状態を示す。
【０１５９】
図１４が示す例では、原稿台カバー１２が起点範囲Ｗ０内に維持された状態から第２部分範囲Ｗ３を経て起点範囲Ｗ０内へ戻る往復変位が検知されるごとに、ＭＰＵ８１は、その時点で選択されているシート供給部３０の隣のシート供給部３０を、新たな記録シート９の供給元として選択する。
【０１６０】
以上に示されるように、画像処理装置１０ＢのＭＰＵ８１は、ロータリーエンコーダー８００の検出角度が予め設定された前記モード指定条件を満たす場合に、画像形成部４が実行する前記画像形成処理の動作モードとして、前記検出角度が満たした前記モード指定条件に対応する前記画像形成モードを設定する。
【０１６１】
従って、画像処理装置１０Ｂが採用されれば、原稿台カバー１２の操作によって前記原稿画像処理の開始タイミングの指示だけでなく、前記画像形成モードを指定することも可能になる。その結果、より操作しやすい画像処理装置を提供することが可能になる。
【０１６２】
［第４実施形態］
次に、図１５〜１８を参照しつつ、第４実施形態に係る画像処理装置１０Ｃについて説明する。図１５は、画像処理装置１０Ｃにおける制御関連機器のブロック図である。図１６は、画像処理装置１０Ｃにおけるジェスチャー式開始条件設定処理の手順の一例を示すフローチャートである。図１７は、画像処理装置１０Ｃにおけるジェスチャー式モード指定条件設定処理の手順の一例を示すフローチャートである。図１８は、画像処理装置１０Ｃにおけるパターン選択式条件設定処理の手順の一例を示すフローチャートである。
【０１６３】
画像処理装置１０Ｃは画像処理装置１０Ｂの応用例である。図１５において、図１〜１４に示される構成要素と同じ構成要素は、同じ参照符号が付されている。以下、画像処理装置１０Ｃにおける画像処理装置１０Ｂと異なる点について説明する。
【０１６４】
画像処理装置１０Ｃは、ユーザーによる操作に従って前記開始条件および前記モード指定条件を設定する機能を備える点において画像処理装置１０Ｂと異なる。より具体的には、画像処理装置１０Ｃは、ジェスチャー式開始条件設定処理、ジェスチャー式モード指定条件設定処理およびパターン選択式条件設定処理を実行する機能を備える。
【０１６５】
前記ジェスチャー式開始条件設定処理は、ユーザーによって操作される原稿台カバー１２の位置の変化パターン、即ち、ロータリーエンコーダー８００の検出角度の変化パターンに従って、前記開始条件を設定する処理である。
【０１６６】
前記ジェスチャー式モード指定条件設定処理は、ユーザーによって操作される原稿台カバー１２の位置の変化パターンに従って、前記モード指定条件を設定する処理である。
【０１６７】
前記パターン選択式条件設定処理は、操作表示部８０に対する操作に従って原稿台カバー１２の操作パターンの複数の選択候補の中から１つ以上の前記操作パターンを選択することによって前記開始条件及び前記モード指定条件の各々を設定する処理である。
【０１６８】
図１５が示すように、画像処理装置１０Ｃは、ＭＰＵ８１が第１条件設定プログラムＰｒ４、第２条件設定プログラムＰｒ５および第３条件設定プログラムＰｒ６を実行可能に構成されている。第１条件設定プログラムＰｒ４、第２条件設定プログラムＰｒ５および第３条件設定プログラムＰｒ６は、予め記憶部８２に記憶されている。ＭＰＵ８１は、それらのプログラムを実行することにより、記憶部８２に開始条件情報Ｄ１およびモード指定条件情報Ｄ２を記憶させる。
【０１６９】
［ジェスチャー式開始条件設定処理］
まず、図１６を参照しつつ、前記ジェスチャー式開始条件設定処理の手順の一例について説明する。ＭＰＵ８１は、操作表示部８０に対して予め定められた設定開始操作が行われたことを検知したときに、前記ジェスチャー式開始条件設定処理を実行する。
【０１７０】
＜工程Ｓ６０１＞
前記ジェスチャー式開始条件設定処理において、まず、ＭＰＵ８１は、原稿台カバー１２を起点範囲Ｗ０へ変位させる操作を促す指示を出力する。この指示は、例えば、操作表示部８０または不図示の音響出力部を通じて出力される。
【０１７１】
＜工程Ｓ６０２＞
続いて、ＭＰＵ８１は、ロータリーエンコーダー８００の検出角度を監視し、起点範囲Ｗ０を特定するための原稿台カバー１２の操作が確定したか否かを判定する。
【０１７２】
＜工程Ｓ６０３＞
そして、起点範囲Ｗ０を特定するための原稿台カバー１２の操作が確定した場合、ＭＰＵ８１は、確定した操作に対応する起点範囲Ｗ０を開始条件情報Ｄ１の一部として記憶部８２に記憶させる。
【０１７３】
第１の例として、工程Ｓ６０１において、ＭＰＵ８１が、原稿台カバー１２を起点範囲Ｗ０の中央に保持する旨の指示を出力することが考えられる。この場合、工程Ｓ６０２，Ｓ６０３において、ＭＰＵ８１は、前記検出角度が前記中間回動範囲内において予め定められた時間以上一定に推移した場合に、その検出角度を中心とする予め定められた範囲を起点範囲Ｗ０として設定する。
【０１７４】
また、第２の例として、工程Ｓ６０１において、ＭＰＵ８１が、原稿台カバー１２を起点範囲Ｗ０の下限位置と上限位置との各々に順番に保持する旨の指示を出力することが考えられる。この場合、工程Ｓ６０２，Ｓ６０３において、ＭＰＵ８１は、前記検出角度が前記中間回動範囲内の２箇所それぞれにおいて予め定められた時間以上一定に推移した場合に、それら２箇所の検出角度各々を下限位置および上限位置とする起点範囲Ｗ０を設定する。
【０１７５】
＜工程Ｓ６０４＞
次に、ＭＰＵ８１は、原稿台カバー１２を終点範囲Ｗ１へ変位させる操作を促す指示を出力する。この指示は、例えば、操作表示部８０または不図示の音響出力部を通じて出力される。
【０１７６】
＜工程Ｓ６０５＞
続いて、ＭＰＵ８１は、ロータリーエンコーダー８００の検出角度を監視し、終点範囲Ｗ１を特定するための原稿台カバー１２の操作が確定したか否かを判定する。
【０１７７】
＜工程Ｓ６０６＞
そして、終点範囲Ｗ１を特定するための原稿台カバー１２の操作が確定した場合、ＭＰＵ８１は、確定した操作に対応する終点範囲Ｗ１を開始条件情報Ｄ１の一部として記憶部８２に記憶させる。これにより、前記ジェスチャー式開始条件設定処理が終了する。
【０１７８】
例えば、工程Ｓ６０４において、ＭＰＵ８１が、原稿台カバー１２を終点範囲Ｗ１の上限位置に保持する旨の指示を出力することが考えられる。この場合、工程Ｓ６０５，Ｓ６０６において、ＭＰＵ８１は、前記検出角度が前記中間回動範囲内における起点範囲Ｗ０よりも閉位置Ｐｃ寄りの位置で予め定められた時間以上一定に推移した場合に、その検出角度から閉位置Ｐｃの角度までの範囲を終点範囲Ｗ１として設定する。
【０１７９】
ＭＰＵ８１は、工程Ｓ６０３，Ｓ６０６においてＭＰＵ８１が記憶部８２に記憶させた開始条件情報Ｄ１によって前記開始条件を特定する。工程Ｓ６０２，Ｓ６０５において、ユーザーによって操作される原稿台カバー１２は、前記開始条件を特定する前記開始条件情報Ｄ１を特定するための操作対象である第１操作部の一例である。
【０１８０】
工程Ｓ６０１〜Ｓ６０６の処理は、ＭＰＵ８１が第１条件設定プログラムＰｒ４を実行することによって実現される。第１条件設定プログラムＰｒ４を実行するＭＰＵ８１は、操作部に対する操作に従って前記開始条件を特定する開始条件情報Ｄ１を記憶部８２に記憶させる開始条件設定部の一例である。また、第１条件設定プログラムＰｒ４を実行するＭＰＵ８１は、操作部を成す原稿台カバー１２に対する操作内容を示すロータリーエンコーダー８００の検出結果に対応した前記開始条件を設定し、設定結果を表す開始条件情報Ｄ１を記憶部８２に記憶させるジェスチャー式設定部の一例でもある。
【０１８１】
［ジェスチャー式モード指定条件設定処理］
次に、図１７を参照しつつ、前記ジェスチャー式モード指定条件設定処理の手順の一例について説明する。ＭＰＵ８１は、操作表示部８０に対して予め定められた設定開始操作が行われたことを検知したときに、前記ジェスチャー式モード指定条件設定処理を実行する。
【０１８２】
図１７が示す例は、前記カラーモードに対応する前記モード指定条件を設定する処理の一例である。
【０１８３】
＜工程Ｓ７０１＞
前記カラーモードの前記モード指定条件を設定する処理において、まず、ＭＰＵ８１は、前記カラーモードを指定する際の原稿台カバー１２の操作パターンで原稿台カバー１２を変位させることを促す指示を出力する。この指示は、例えば、操作表示部８０または不図示の音響出力部を通じて出力される。
【０１８４】
＜工程Ｓ７０２＞
続いて、ＭＰＵ８１は、ロータリーエンコーダー８００の検出角度を監視し、前記モード指定条件を特定するための原稿台カバー１２の操作パターンが確定したか否かを判定する。なお、原稿台カバー１２の操作パターンは、ロータリーエンコーダー８００の検出角度の変化パターンに相当する。
【０１８５】
例えば、ＭＰＵ８１は、前記検出角度が前記中間回動範囲内において予め定められた時間以上一定に推移した後、他の角度へ変化した上で再び予め定められた時間以上一定に推移した場合に、前記モード指定条件を特定するための原稿台カバー１２の操作パターンが確定したと判定する。
【０１８６】
＜工程Ｓ７０３＞
そして、前記モード指定条件を特定するための原稿台カバー１２の操作パターンが確定した場合、ＭＰＵ８１は、確定した操作パターンに対応する前記カラーモードの前記モード指定条件をモード指定条件情報Ｄ２の一部として記憶部８２に記憶させる。図１１の工程Ｓ５０３において、ＭＰＵ８１は、工程Ｓ７０３で記憶部８２に記憶させたモード指定条件情報Ｄ２により前記モード指定条件を特定する。
【０１８７】
例えば、ＭＰＵ８１が、確定した操作パターンに相当する前記検出角度の変化パターンに予め定められた余裕幅を設定して得られる前記検出角度の変化パターンを、前記モード指定条件として設定することが考えられる。
【０１８８】
工程Ｓ７０２において、ユーザーによって操作される原稿台カバー１２は、前記モード指定条件を表す前記モード指定条件情報Ｄ２を特定するための操作対象である第２操作部の一例である。
【０１８９】
工程Ｓ７０１〜Ｓ７０３の処理は、ＭＰＵ８１が第２条件設定プログラムＰｒ５を実行することによって実現される。第２条件設定プログラムＰｒ５を実行するＭＰＵ８１は、操作部に対する操作に従って前記モード指定条件を特定するモード指定条件情報Ｄ２を記憶部８２に記憶させるモード指定条件設定部の一例である。また、第２条件設定プログラムＰｒ５を実行するＭＰＵ８１は、操作部を成す原稿台カバー１２に対する操作内容を示すロータリーエンコーダー８００の検出結果に対応した前記モード指定条件を設定し、設定結果を表すモード指定条件情報Ｄ２を記憶部８２に記憶させるジェスチャー式設定部の一例でもある。
【０１９０】
［パターン選択式条件設定処理］
次に、図１８を参照しつつ、前記パターン選択式条件設定処理の手順の一例について説明する。ＭＰＵ８１は、操作表示部８０に対して予め定められた設定開始操作が行われたことを検知したときに、前記パターン選択式条件設定処理を実行する。
【０１９１】
＜工程Ｓ８０１＞
前記パターン選択式条件設定処理において、まず、ＭＰＵ８１は、前記開始条件および前記モード指定条件の中から設定の対象とする条件を選択するための設定対象選択メニューを操作表示部８０に表示させる。
【０１９２】
＜工程Ｓ８０２＞
続いて、ＭＰＵ８１は、操作表示部８０に対する選択操作に従って、前記設定対象選択メニューの選択候補の中から設定の対象とする前記開始条件または前記モード指定条件を選択する。
【０１９３】
＜工程Ｓ８０３＞
次に、ＭＰＵ８１は、原稿台カバー１２の操作パターンの複数の選択候補の中から設定対象の条件に対応する操作パターンを選択するためのカバー操作パターン選択メニューを操作表示部８０に表示させる。
【０１９４】
＜工程Ｓ８０４＞
続いて、ＭＰＵ８１は、操作表示部８０に対する選択操作に従って、前記カバー操作パターン選択メニューの選択候補の中から１つの前記操作パターンまたは複数の前記カバー操作パターンの組合せを選択する。
【０１９５】
最後に、ＭＰＵ８１は、工程Ｓ８０４で選択した１つ以上の前記カバー操作パターンに相当する条件を、工程Ｓ８０２で選択した設定対象の条件として記憶部８２に記録する。これにより、工程Ｓ８０４で選択した１つ以上の前記カバー操作パターンに相当する条件を表す情報が、前記開始条件情報Ｄ１または前記モード指定条件情報Ｄ２として記憶部８２に記録される。
【０１９６】
工程Ｓ８０１〜Ｓ８０５の処理は、ＭＰＵ８１が第３条件設定プログラムＰｒ６を実行することによって実現される。記憶部８２における開始条件情報Ｄ１を記憶する部分は、前記開始条件を特定する情報を記憶する第１記憶部の一例である。また、記憶部８２におけるモード指定条件情報Ｄ２を記憶する部分は、前記モード指定条件を特定する情報を記憶する第３記憶部の一例である。
【０１９７】
工程Ｓ８０１で選択される設定対象が前記開始条件である場合、第３条件設定プログラムＰｒ６を実行するＭＰＵ８１は、開始条件設定部の一例である。この場合、ＭＰＵ８１は、操作部に対する操作に従って前記開始条件を特定する開始条件情報Ｄ１を記憶部８２に記憶させる。また、工程Ｓ８０４において操作される操作表示部８０は、前記開始条件情報Ｄ１を特定するための操作対象である第１操作部の一例である。
【０１９８】
さらに、第３条件設定プログラムＰｒ６を実行するＭＰＵ８１は、操作部に対する操作に従って原稿台カバー１２の操作パターンの複数の選択候補の中から前記操作パターンを選択することによって前記開始条件を設定し、設定結果を表す開始条件情報Ｄ１を記憶部８２に記憶させるパターン選択式設定部の一例である。
【０１９９】
また、工程Ｓ８０１で選択される設定対象が前記モード指定条件である場合、第３条件設定プログラムＰｒ６を実行するＭＰＵ８１は、モード指定条件設定部の一例である。この場合、ＭＰＵ８１は、操作部に対する操作に従って前記モード指定条件を特定するモード指定条件情報Ｄ２を記憶部８２に記憶させる。
【０２００】
さらに、第３条件設定プログラムＰｒ６を実行するＭＰＵ８１は、操作部に対する操作に従って原稿台カバー１２の操作パターンの複数の選択候補の中から前記操作パターンを選択することによって前記モード指定条件を設定し、設定結果を表すモード指定条件情報Ｄ２を記憶部８２に記憶させることもできる。
【０２０１】
画像処理装置１０Ｃが採用されれば、装置に動作指示を与えるための原稿台カバー１２の操作パターンをユーザーの好みに合わせることが可能になる。そのため、より操作しやすい画像処理装置を提供することが可能になる。工程Ｓ８０４において操作される操作表示部８０は、前記モード指定条件情報Ｄ２を特定するための操作対象である第２操作部の一例でもある。
【０２０２】
また、前記ジェスチャー式開始条件設定処理および前記ジェスチャー式モード指定条件設定処理によれば、ユーザーは、装置に動作指示を与えるための原稿台カバー１２の操作パターンを実際に体感しながら設定することができる。そのため、ユーザーの感覚に応じた原稿台カバー１２の操作パターンを容易に設定することが可能になる。
【０２０３】
また、前記パターン選択式条件設定処理によれば、ユーザーは、装置に動作指示を与えるための原稿台カバー１２の操作パターンを、提示された複数の選択候補の中から容易に選択することができる。この場合、原稿台カバー１２の操作パターンを設定する操作が容易である。
【０２０４】
［第５実施形態］
次に、図１９，２０を参照しつつ、第５実施形態に係る画像処理装置１０Ｄについて説明する。図１９は、画像処理装置１０Ｄにおける制御関連機器のブロック図である。図２０は、画像処理装置１０Ｄにおけるログイン処理の手順の一例を示すフローチャートである。
【０２０５】
画像処理装置１０Ｄは画像処理装置１０Ｃの応用例である。図１９において、図１〜１８に示される構成要素と同じ構成要素は、同じ参照符号が付されている。以下、画像処理装置１０Ｄにおける画像処理装置１０Ｃと異なる点について説明する。
【０２０６】
画像処理装置１０Ｄは、認証処理の成否によって装置の使用を許容するか否かを制御する認証制御機能を備える点において画像処理装置１０Ｃと異なる。前記認証制御機能は、操作表示部８０などの操作部を通じて入力される認証用入力情報と予め記憶部８２に記憶された認証情報Ｄ３とを照合して認証成否を判定する認証処理を実行し、その認証成否に応じて前記原稿画像処理の実行を許容するか否かを制御する機能である。
【０２０７】
図１９が示すように、画像処理装置１０Ｄは、ＭＰＵ８１が認証制御プログラムＰｒ７を実行可能に構成されている。認証制御プログラムＰｒ７は、予め記憶部８２に記憶されている。ＭＰＵ８１は、認証制御プログラムＰｒ７を実行することにより、前記認証制御機能を実現する。
【０２０８】
また、画像処理装置１０Ｄの記憶部８２には、ユーザーごと、または複数人のユーザーを含むユーザーグループごとに予め設定された認証情報Ｄ３が記憶されている。例えば、認証情報Ｄ３が、ユーザーＩＤとパスワードとの組合せなどの文字列情報、または、指紋情報、顔画像もしくは声情報などの生態情報などであることが考えられる。認証情報Ｄ３は、認証制御プログラムＰｒ７を実行するＭＰＵ８１によって参照される。なお、画像処理装置１０Ｄが、他の装置の記憶部に予め記憶された認証情報Ｄ３を通信部８７を通じて取得することも考えられる。
【０２０９】
［認証制御処理］
以下、図２０を参照しつつ、前記認証制御処理の手順の一例について説明する。ＭＰＵ８１は、画像処理装置１０Ｄの起動時または画像処理装置１０Ｄが省電力モードの状態において操作表示部８０に何らかの操作がなされたことをＭＰＵ８１が検知したときなどに前記認証制御処理を実行する。
【０２１０】
＜工程Ｓ９０１＞
前記認証制御処理において、まず、ＭＰＵ８１は、認証用入力情報の入力を促すログイン画面を操作表示部８０に表示させる。前記認証用入力情報は、認証情報Ｄ３と照合される情報である。
【０２１１】
＜工程Ｓ９０２＞
続いて、ＭＰＵ８１は、操作表示部８０または不図示の生態情報入力部を通じて前記認証用情報を入力する。前記生態情報入力部は、例えば、指紋画像または顔画像を入力するカメラ、または声情報を入力するマイクなどである。なお、工程Ｓ９０２におい前記認証用情報を入力する操作表示部８０、前記カメラまたは前記マイクは、情報入力部の一例である。
【０２１２】
＜工程Ｓ９０３＞
さらに、ＭＰＵ８１は、工程Ｓ９０２で入力される前記認証用入力情報と予め記憶部８２に記憶された認証情報Ｄ３とを照合して認証成否を判定する認証処理を実行する。
【０２１３】
＜工程Ｓ９０４＞
ＭＰＵ８１は、工程Ｓ９０３の前記認証処理が成功しなかった場合、制御工程を前述のＳ９０１へ移行させる。これにより、前記認証制御処理が最初から実行される。一方、ＭＰＵ８１は、前記認証処理が成功した場合、制御工程の次の工程Ｓ９０５へ移行させる。
【０２１４】
＜工程Ｓ９０５＞
前記認証処理が成功した場合、ＭＰＵ８１は、前記原稿画像処理などの各種のジョブを受け付けることが可能な状態へ移行する。この状態において、ＭＰＵ８１は、前記ジョブの実行を指示する操作を検知した場合に、その操作に応じた前記ジョブを実行する。前記ジョブの実行を指示する操作が検知されない場合、または、前記ジョブが終了したときに、ＭＰＵ８１は制御工程を次の工程Ｓ９０６へ移行させる。
【０２１５】
前記ジョブの実行を指示する操作は、例えば、前記画像読取処理および前記画像形成処理の前記実行パラメーターを指定する操作、開始ボタン８０ｓの操作および前記カバー操作モードを指定する操作などである。即ち、工程Ｓ９０５の状態は、図３に示される前記原稿画像処理開始制御が開始される前の状態である。
【０２１６】
＜工程Ｓ９０６＞
また、ＭＰＵ８１は、前記ジョブの実行を指示する操作が検知されない時間が予め定められた第３タイムアウト時間を超えたか否かを判定する。前記ジョブの実行を指示する操作が検知されない時間が前記第３タイムアウト時間を超えた場合、前記認証制御処理が終了する。そうでない場合、ＭＰＵ８１は工程Ｓ９０５の処理を繰り返す。
【０２１７】
なお、認証制御プログラムＰｒ７を実行するＭＰＵ８１は、前記認証処理を実行するとともに前記認証処理が成功した場合に画像読取部１１による前記画像読取処理を許容する認証制御部の一例である。また、記憶部８２における認証情報Ｄ３を記憶する部分は、前記認証用入力情報と照合される認証情報Ｄ３を予め記憶する第２記憶部の一例である。なお、前記画像読取処理は、画像読取部１１による前記画像読取処理を含む。
【０２１８】
画像処理装置１０ＤのＭＰＵ８１は、図１６に示されるジェスチャー式開始条件設定処理の工程Ｓ６０３，Ｓ６０６および図１８に示される前記パターン選択式条件設定処理の工程Ｓ８０５において、工程Ｓ９０３において成功した前記認証処理に対応する認証情報Ｄ３に対応づけて開始条件情報Ｄ１を記憶部８２に記憶させる。なお、工程Ｓ６０３，Ｓ６０６を実行するＭＰＵ８１および前記開始条件について工程Ｓ８０５を実行するＭＰＵ８１は、前記開始条件設定部の一例である。
【０２１９】
さらに、画像処理装置１０ＤのＭＰＵ８１は、図４に示される工程Ｓ２０１，Ｓ２０３において、工程Ｓ９０３において成功した前記認証処理に対応する認証情報Ｄ３に対応づけられた開始条件情報Ｄ１により前記開始条件を特定する。なお、工程Ｓ２０１，Ｓ２０３を実行するＭＰＵ８１は、前記画像読取制御部の一例である。
【０２２０】
同様に、画像処理装置１０ＤのＭＰＵ８１は、図１７に示されるジェスチャー式モード指定条件設定処理の工程Ｓ７０３および図１８に示される前記パターン選択式条件設定処理の工程Ｓ８０５において、工程Ｓ９０３において成功した前記認証処理に対応する認証情報Ｄ３に対応づけてモード指定条件情報Ｄ２を記憶部８２に記憶させる。なお、工程Ｓ７０３を実行するＭＰＵ８１および前記モード指定条件について工程Ｓ８０５を実行するＭＰＵ８１は、前記モード指定条件設定部の一例である。
【０２２１】
さらに、画像処理装置１０ＤのＭＰＵ８１は、図１１に示される工程Ｓ５０３において、工程Ｓ９０３において成功した前記認証処理に対応する認証情報Ｄ３に対応づけられたモード指定条件情報Ｄ２により前記モード指定条件を特定する。なお、工程Ｓ５０３を実行するＭＰＵ８１は、前記画像形成モード設定部の一例である。
【０２２２】
画像処理装置１０Ｄが採用されれば、装置に動作指示を与えるための原稿台カバー１２の操作パターンを複数のユーザーまたは複数のユーザーグループ各々の好みに合わせることが可能になる。そのため、ユーザーごと、または、ユーザーグループごとに、より操作しやすい画像処理装置を提供することが可能になる。
【０２２３】
[応用例]
画像処理装置１０，１０Ａ，１０Ｂ，１０Ｃ，１０Ｄにおける画像読取装置１が、画像処理装置として提供されることも考えられる。
【０２２４】
画像処理装置１０，１０Ａ，１０Ｂ，１０Ｃ，１０Ｄにおいて、前記モード指定条件が、前記開始条件と同様に、原稿台カバー１２の回動の速度および加速度のうちの一方または両方の条件を含むことも考えられる。例えば、図１１に示される工程Ｓ５０３において、ＭＰＵ８１が、起点範囲Ｗ０と第１部分範囲Ｗ２もしくは第２部分範囲Ｗ３との間における前記検出角度の変化を判定する際に、前記検出角度の変化の速度または加速度を前記モード指定条件の一部として判定することなどが考えられる。
【０２２５】
また、原稿台カバー１２の前記中間回動範囲における位置の変化を検出可能なセンサーとして、ロータリーエンコーダー８００以外のセンサーが採用されることも考えられる。例えば、それぞれヒンジ部１４の一部に接触する複数のスイッチ式のセンサーが、ロータリーエンコーダー８００の代わりに設けられることが考えられる。この場合、前記スイッチ式のセンサー各々は、原稿台カバー１２の回動に応じて変位するヒンジ部１４の一部の変位経路に配置される。この場合、複数の前記スイッチ式のセンサーが回動センサーの一例である。
【０２２６】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０２２７】
１        ：画像読取装置
２        ：画像形成装置
３        ：シート搬送部
４        ：画像形成部
４ｘ      ：単色画像形成部
５        ：光走査部
６        ：定着部
７        ：カバー圧力検出部
８        ：制御部
９        ：記録シート
１０，１０Ａ，１０Ｂ，１０Ｃ，１０Ｄ：画像処理装置
１１      ：画像読取部
１２      ：原稿台カバー
１２ｆ    ：原稿台カバーの内側面
１３      ：原稿台
１４      ：ヒンジ部
３０      ：シート供給部
３１      ：送出ローラー
３２      ：搬送ローラー
３３      ：排出ローラー
４０      ：現像剤補給部
４１      ：感光体（像担持体）
４２      ：帯電装置
４３      ：現像装置
４５      ：一次転写装置
４７      ：一次クリーニング装置
４８      ：中間転写ベルト
４９      ：二次転写装置
７１      ：圧力センサー
７２      ：板状部材
７３      ：弾性連結部
８０      ：操作表示部
８０ｓ    ：開始ボタン
８１      ：ＭＰＵ
８２      ：記憶部
８３      ：画像読取制御部
８４      ：画像処理部
８５      ：画像形成制御部
８６      ：信号インターフェイス
８７      ：通信部
９０      ：原稿
１００    ：筐体
１０１    ：排出トレイ
１１１    ：走査機構
１１２    ：発光部
１１３    ：光学系
１１４    ：イメージセンサー
１２１    ：原稿トレイ
１２２    ：搬送ローラー
１２３    ：原稿排出トレイ
３００    ：シート搬送路
４８０    ：二次クリーニング装置
８００    ：ロータリーエンコーダー
Ｄ１      ：開始条件情報
Ｄ２      ：モード指定条件情報
Ｄ３      ：認証情報
Ｐｃ      ：閉位置
Ｐｏ      ：開位置
Ｐｒ１    ：カバー操作モード検知プログラム
Ｐｒ２    ：開始条件判定プログラム
Ｐｒ３    ：画像形成モード設定プログラム
Ｐｒ４    ：第１条件設定プログラム
Ｐｒ５    ：第２条件設定プログラム
Ｐｒ６    ：第３条件設定プログラム
Ｐｒ７    ：認証制御プログラム
Ｒ１      ：主走査方向
Ｒ２      ：副走査方向
Ｗ０      ：起点範囲
Ｗ１      ：終点範囲
Ｗ２      ：第１部分範囲
Ｗ３      ：第２部分範囲
【図１】
2016082368.tif 000003
【図２】
2016082368.tif 000004
【図３】
2016082368.tif 000005
【図４】
2016082368.tif 000006
【図５】
2016082368.tif 000007
【図６】
2016082368.tif 000008
【図７】
2016082368.tif 000009
【図８】
2016082368.tif 000010
【図９】
2016082368.tif 000011
【図１０】
2016082368.tif 000012
【図１１】
2016082368.tif 000013
【図１２】
2016082368.tif 000014
【図１３】
2016082368.tif 000015
【図１４】
2016082368.tif 000016
【図１５】
2016082368.tif 000017
【図１６】
2016082368.tif 000018
【図１７】
2016082368.tif 000019
【図１８】
2016082368.tif 000020
【図１９】
2016082368.tif 000021
【図２０】
2016082368.tif 000022